(57)【要約】  おむつ替え台の不使用時に、おむつ替え台を支持するための専用の部材を化粧室内に突出させることがなく、使用状態におけるおむつ替え台の姿勢を安定した状態で支持できるおむつ替え台を備えた航空機用化粧室ユニットを提供すること。  便器３２の両側方に第１側壁１８と第２側壁２０とが位置し、便器３２の後方に背面壁２４が位置している。第１側壁１８と第２側壁２０にそれぞれ手摺４０が設けられている。おむつ替え台３６は、背面壁２４の収納凹部２４０２に収納された収納状態と、便器３２の上方で倒伏した使用状態との間で揺動可能である。おむつ替え台３６は、使用状態で下面３６Ｂの両側が、それぞれ第１側壁１８、第２側壁２０の手摺４０の上に載置されて支持され、おむつ替え台３６の使用状態が保持されるように構成されている。
2014033786.tif 000002
【特許請求の範囲】
【請求項１】
躯体フレームの内部に便器が設けられた航空機用化粧室ユニットであって、
前記躯体フレームは、互いに対向する２つの第１壁面と、それら第１壁面を接続する第２壁面とを有し、
前記便器は、前記２つの第１壁面が前記便器の両側方に位置し、前記第２壁面が前記便器の後方に位置するように配置され、
前記便器を挟んだ前記２つの第１壁面の箇所に、前記便器の便座に着座しあるいは便座から起立する際に使用される手摺がそれぞれ設けられ、
前記第２壁面に、前記便器の上方に位置する箇所を支点として、前記第２壁面に合わされた収納状態と、前記便器の上方で倒伏した使用状態との間で揺動可能におむつ替え台が設けられ、
前記おむつ替え台は、前記使用状態で、前記２つの第１壁面側に位置する側部が、前記２つの第１壁面の各手摺で支持される、
ことを特徴とする航空機用化粧室ユニット。
【請求項２】
前記躯体フレームはフロアを有し、
前記手摺は前記フロアと平行して延在する細長形状を呈し、
前記使用状態における前記手摺による前記側部の支持は、前記手摺の長手方向の全長部分が前記おむつ替え台の側部の下面に当接することでなされる、
ことを特徴とする請求項１記載の航空機用化粧室ユニット。
【請求項３】
前記躯体フレームは長方形状のフロアと、前記フロアの２つの長辺のうちの一方の長辺から起立する正面壁と、前記２つの長辺のうちの他方の長辺から起立する背面壁と、前記フロアの２つの短辺のうちの一方の短辺から起立する第１側壁と、前記２つの短辺のうちの他方の短辺から起立する第２側壁とを有し、
前記便器は、前記第１側壁寄りの前記フロアの端部に配置され、
前記正面壁の前記第２側壁寄りの端部に出入口が設けられ、
前記２つの第１壁面は、前記正面壁の壁面と前記背面壁の壁面であり、
前記第２壁面は、前記第１側壁の壁面である、
ことを特徴とする請求項１または２記載の航空機用化粧室ユニット。
【発明の詳細な説明】
【技術分野】
【０００１】
本発明は、航空機用化粧室ユニットに関する。
【背景技術】
【０００２】
航空機用化粧室ユニットとして、乳児のおむつ替えを行なうためのおむつ替え台を備えたものが提案されている（特許文献１参照）。
航空機用化粧室ユニットは、機内の限られたスペースに配置されるため、化粧室の内部のスペースは狭い。
【先行技術文献】
【特許文献】
【０００３】
【特許文献１】特開平６−４０３９９号公報
【発明の概要】
【発明が解決しようとする課題】
【０００４】
したがって、おむつ替え台を化粧室ユニットの壁面に合わせた収納状態と、おむつ替え台を倒伏させた使用状態との間で支軸を中心として揺動可能に設けた場合、おむつ替え台の使用状態を保持させる部材を、化粧室の壁面に設けると、おむつ替え台の不使用時に、その部材が化粧室内に突出して邪魔になる。
また、このような突出物をなくすため、おむつ替え台の支軸部分で、おむつ替え台の使用状態を保持させようとすると、おむつ替え台の使用時に、支軸部分に大きなモーメントが作用するため、おむつ替え台の使用状態を保持させる機構が大掛かりとなり、航空機用化粧室ユニットが大型化し、重量増となる。
一方、便器に隣接する化粧室ユニットの壁面に、便座に着座しあるいは便座から起立する際に使用される手摺が設けられたものが提案されている。
本発明はこの手摺に着目して案出されたものであり、本発明の目的は、おむつ替え台の不使用時に、おむつ替え台を支持するための専用の部材を化粧室内に突出させることがなく、使用状態におけるおむつ替え台の姿勢を安定した状態で支持できるおむつ替え台を備えた航空機用化粧室ユニットを提供することにある。
【課題を解決するための手段】
【０００５】
上記目的を達成するために本発明の航空機用化粧室ユニットは、躯体フレームの内部に便器が設けられた航空機用化粧室ユニットであって、前記躯体フレームは、互いに対向する２つの第１壁面と、それら第１壁面を接続する第２壁面とを有し、前記便器は、前記２つの第１壁面が前記便器の両側方に位置し、前記第２壁面が前記便器の後方に位置するように配置され、前記便器を挟んだ前記２つの第１壁面の箇所に、前記便器の便座に着座しあるいは便座から起立する際に使用される手摺がそれぞれ設けられ、前記第２壁面に、前記便器の上方に位置する箇所を支点として、前記第２壁面に合わされた収納状態と、前記便器の上方で倒伏した使用状態との間で揺動可能におむつ替え台が設けられ、前記おむつ替え台は、前記使用状態で、前記２つの第１壁面側に位置する側部が、前記２つの第１壁面の各手摺で支持されることを特徴とする。
【発明の効果】
【０００６】
本発明によれば、使用状態におけるおむつ替え台の両側部をそれぞれ手摺で支持するようにしたので、おむつ替え台のヒンジ部分の構造を強固にする必要はなく、化粧室ユニットの小型化、軽量化を図る上で有利となる。
また、便座に着座しあるいは便座から起立する際に使用される手摺を用いて使用状態のおむつ替え台の姿勢を保持するようにしたので、おむつ替え台の不使用時、おむつ替え台支持用の専用の部材が化粧室内に突出することもなく、化粧室の使い勝手を向上する上で有利となる。
【図面の簡単な説明】
【０００７】
【図１】第１の実施の形態に係る航空機用化粧室ユニット１２Ａの構成を示す平面図である。
【図２】第１の実施の形態に係る航空機用化粧室ユニット１２Ａのおむつ替え台３６の収納状態を示す斜視図である。
【図３】第１の実施の形態に係る航空機用化粧室ユニット１２Ａのおむつ替え台３６の使用状態を示す斜視図である。
【図４】第２の実施の形態に係る航空機用化粧室ユニット１２Ｂの構成を示す斜視図であり、（Ａ）は扉３００４が閉塞された状態を示す図、（Ｂ）は扉３００４が開放された状態を示す図である。
【図５】第２の実施の形態に係る航空機用化粧室ユニット１２Ｂの構成を示す平面図である。
【図６】第２の実施の形態に係る航空機用化粧室ユニット１２Ｂのおむつ替え台３６の収納状態、使用状態を示す斜視図である。
【発明を実施するための形態】
【０００８】
（第１の実施の形態）
第１の実施の形態に係る航空機用化粧室ユニット１２Ａ（以下、化粧室ユニット１２Ａという）について図１〜図３を参照して説明する。
図１に示すように、化粧室ユニット１２Ａの躯体フレーム１４は、底壁１６と、第１側壁１８と、第２側壁２０と、第３側壁２２と、背面壁２４と、正面壁２６と、不図示の天井壁とを有している。
底壁１６は、長方形の幅狭部と、幅広部とを有し、底壁１６は化粧室ユニット１２Ａのフロアを構成している。
第１側壁１８は、幅狭部の一方の長辺および幅広部の一方の端部から起立し、第２側壁２０は、幅狭部の他方の長辺から起立し、第３側壁２２は、幅広部の他方の端部から起立している。
背面壁２４は、幅狭部の短辺から起立し第１側壁１８の端部と第２側壁２０の端部とを接続している。背面壁２４は、化粧室ユニット１２Ａを機内の側壁に寄せて配置するため、機体の側壁に対応（重複）させて湾曲面を含む形状で形成されている。
正面壁２６は、背面壁２４に対向し幅広部の端部から起立し第１側壁１８と第３側壁２２とを接続している。正面壁２６には出入口３０が設けられている。出入口３０は、正面壁２６に設けられた開口３００２と、この開口３００２を開閉する扉３００４とを有している。
そして、躯体フレーム１４の内部に便器３２と手洗い器３４とおむつ替え台３６とが配置されることで化粧室３８Ａが形成されている。
【０００９】
手洗い器３４は、第３側壁２２の内側の化粧室３８Ａの箇所に配置されている。
便器３２は、背面壁２４側の化粧室３８Ａの端部に配置され、便器３２の両側方に第１側壁１８と第２側壁２０とが位置し、便器３２の後方に背面壁２４が位置している。したがって、本実施の形態では、第１側壁１８と第２側壁２０の壁面が、特許請求の範囲の第１壁面に相当し、背面壁２４の壁面が特許請求の範囲の第２壁面に相当している。
便器３２は便座３２０２と、倒伏状態で便座３２０２を覆い起立状態で便座３２０２を開放する蓋３２０４とを備えている。
【００１０】
図１、図２に示すように、便器３２を挟んで対向する第１側壁１８および第２側壁２０の箇所にそれぞれ便座３２０２に着座しあるいは便座３２０２から起立する際に使用される手摺４０が設けられている。
手摺４０は、フロアとほぼ平行して延在する細長形状を呈している。
手摺４０は、第１側壁１８および第２側壁２０と一体成形されている。
なお、手摺４０の形状は、手を掛けることができる形状であればよく、断面が矩形、円形など、従来公知の様々な形状が使用可能である。
【００１１】
図２、図３に示すように、おむつ替え台３６は、略矩形の板状を呈している。
おむつ替え台３６は、例えば、ハニカムサンドイッチパネル、あるいは、合成樹脂などの材料からなる軽量で剛性を有するフレームに、クッション材を貼りつけることで構成されている。クッション材が貼り付けられた箇所が、おむつ替えの際に乳児を寝かせる上面３６Ａとされる。なお、このようなおむつ替え台３６の構成には従来公知の様々な構造が採用可能である。
【００１２】
おむつ替え台３６は、その一側部が便器３２の上方に位置する背面壁２４の箇所に不図示のヒンジを介して取着され、おむつ替え台３６は、図２に示すように、ヒンジを支点として、上面３６Ａを背面壁２４の収納凹部２４０２に収納された収納状態と、図３に示すように、便器３２の上方で上面３６Ａを上方に向けて倒伏した使用状態との間で揺動可能に設けられている。
本実施の形態では、おむつ替え台３６の収納状態で、おむつ替え台３６の下面３６Ｂと背面壁２４の壁面とが連続するように構成されている。
また、おむつ替え台３６の下面３６Ｂでヒンジと反対側に位置する箇所には、図２に示すように、係脱操作用のハンドル３６０２と、ハンドル３６０２の操作で、おむつ替え台３６の収納状態で背面壁２４に設けられた係合部と係脱する留め具（不図示）が設けられている。ハンドル３６０２の操作で留め具を係合部に係合させることでおむつ替え台３６が収納状態に保持され、留め具と係合部との係合を解除すると、おむつ替え台３６の収納状態から使用状態への揺動が可能となる。
【００１３】
おむつ替え台３６は、使用状態で第１側壁１８側に位置する側部と第２側壁２０側に位置する側部との２つの側部の下面３６Ｂが、それぞれ第１側壁１８、第２側壁２０の手摺４０の上に載置されて支持され、おむつ替え台３６の使用状態が保持されるように構成されている。
本実施の形態では、手摺４０の上面の長手方向の全長部分がおむつ替え台３６の側部の下面３６Ｂに当接し、おむつ替え台３６の使用状態をより安定した状態で保持できるように構成している。
【００１４】
本実施の形態によれば、使用状態におけるおむつ替え台３６の両側部の下面３６Ｂをそれぞれ手摺４０で支持するようにしたので、おむつ替え台３６のヒンジ部分の構造を強固にする必要はなく、化粧室ユニット１２Ａの小型化、軽量化を図る上で有利となる。
また、便座３２０２に着座しあるいは便座３２０２から起立する際に使用される手摺４０を用いておむつ替え台３６の使用状態を保持するようにしたので、おむつ替え台３６の不使用時、おむつ替え台３６を支持するための専用の部材が化粧室３８Ａ内に突出することもなく、狭い化粧室３８Ａの使い勝手を向上する上で有利となる。
また、手摺４０の長手方向の全長部分がおむつ替え台３６の側部の下面３６Ｂに当接しているので、使用状態におけるおむつ替え台３６を安定して支持する上で有利となる。
【００１５】
（第２の実施の形態）
次に、第２の実施の形態に係る航空機用化粧室ユニット１２Ｂ（以下、化粧室ユニット１２Ｂという）について図４〜図６を参照して説明する。なお、以下の実施の形態の説明では、第１の実施の形態と同一または同様な箇所に同一の符号を付してその説明を省略する。
第２の実施の形態では、化粧室ユニット１２Ｂの躯体フレーム１４の構造が第１の実施の形態と異なっている。
すなわち、底壁５０は、第１の実施の形態の幅狭部と幅広部とを有しておらず、図５、図６に示すように長方形を呈している。
底壁５０は化粧室ユニット１２Ｂのフロアを構成しており、底壁５０の各長辺から正面壁５２と背面壁５４が起立しており、底壁５０の一方の短辺から第１側壁５６が起立し、底壁５０の他方の短辺から第２側壁５８が起立し、それら正面壁５２、背面壁５４、第１側壁５６、第２側壁５８の上部は天井壁６０で接続されている。
第１側壁５６は、化粧室ユニット１２Ｂを機内の側壁に寄せて配置するため、機体の側壁に対応（重複）させて湾曲面を含む形状で形成されている。
図４に示すように、正面壁５２の第２側壁５８寄りの端部には出入口３０が設けられている。出入口３０は、正面壁５２に設けられた開口３００２と、この開口３００２を開閉する扉３００４とを有している。扉３００４は、２つの扉体３００４Ａ、３００４Ｂの各外面が化粧室ユニット１２Ｂの外側に山形に折れることで開口部３００２を開放する２つ折り扉である。
そして、躯体フレーム１４の内部に便器３２、手洗い器３４、ダストボックス３５Ａ、鏡３５Ｂ、収納キャビネット３５Ｃ、おむつ替え台３６が配置されることで化粧室３８Ｂが形成されている。
手洗い器３４は、出入口３０に対向する背面壁５４と第２側壁５８との角部に配置され、ダストボックス３５Ａは手洗い器３４の下方に設けられ、収納キャビネット３５Ｃは手洗い器３４の上方に設けられ、図５、図６において符号３５０２は、ダストボックス３５Ａのごみ投入口を示している。
【００１６】
便器３２は、第１側壁５６側の化粧室３８Ｂの端部（第１側壁５６寄りの底壁５０の端部）に配置され、便器３２の両側方に正面壁５２と背面壁５４とが位置し、便器３２の後方に第１側壁５６が位置している。したがって、本実施の形態では、正面壁５２と背面壁５４の壁面が、特許請求の範囲の第１壁面に相当し、第１側壁５６の壁面が特許請求の範囲の第２壁面に相当している。
便器３２は便座３２０２と、倒伏状態で便座３２０２を覆い起立状態で便座３２０２を開放する蓋３２０４とを備えている。
【００１７】
図５、図６に示すように、便器３２を挟んで対向する正面壁５２および背面壁５４の箇所にそれぞれ便座３２０２に着座しあるいは便座３２０２から起立する際に使用される手摺４０が設けられ、手摺４０の構成は第１の実施の形態と同様である。
【００１８】
図６に想像線で示すように、おむつ替え台３６は、略矩形の板状を呈し、おむつ替え台３６の構成は第１の実施の形態と同様である。
おむつ替え台３６は、第１の実施の形態と同様に、その一側部が便器３２の上方に位置する第１側壁５６の箇所に不図示のヒンジを介して取着され、おむつ替え台３６は、図６に符号（イ）で示すように、ヒンジを支点として、上面３６Ａを第１側壁５６の収納凹部５６０２に収納された収納状態と、図６に符号（ロ）で示すように、便器３２の上方で上面３６Ａを上方に向けて倒伏した使用状態との間で揺動可能に設けられている。
本実施の形態では、おむつ替え台３６の収納状態で、おむつ替え台３６の下面３６Ｂと第１側壁５６の壁面とが連続するように構成されている。
また、おむつ替え台３６の下面３６Ｂでヒンジと反対側に位置する箇所には、第１の実施の形態と同様に、係脱操作用のハンドル３６０２（図２参照）と、ハンドル３６０２の操作で、おむつ替え台３６の収納状態で第１側壁５６に設けられた係合部と係脱する留め具が設けられている。ハンドル３６０２の操作で留め具を係合部に係合させることでおむつ替え台３６が収納状態に保持され、留め具と係合部との係合を解除すると、おむつ替え台３６の収納状態から使用状態への揺動が可能となる。
【００１９】
おむつ替え台３６は、使用状態で正面壁５２側に位置する側部と背面壁５４側に位置する側部との２つの側部の下面３６Ｂが、それぞれ正面壁５２、背面壁５４の手摺４０の上に載置されて支持され、おむつ替え台３６の使用状態が保持されるように構成されている。
第２の実施の形態でも、第１の実施の形態と同様に、手摺４０の上面の長手方向の全長部分がおむつ替え台３６の側部の下面３６Ｂに当接し、おむつ替え台３６の使用状態をより安定した状態で保持できるように構成している。
【００２０】
第２の実施の形態によれば、第１の実施の形態と同様な効果が奏される。
すなわち、使用状態におけるおむつ替え台３６の両側部の下面３６Ｂをそれぞれ手摺４０で支持するようにしたので、おむつ替え台３６のヒンジ部分の構造を強固にする必要はなく、化粧室ユニット１２Ｂの小型化、軽量化を図る上で有利となる。
また、おむつ替え台３６の不使用時、おむつ替え台３６を支持するための専用の部材が化粧室３８Ｂ内に突出することもなく、狭い化粧室３８Ｂの使い勝手を向上する上で有利となる。
特に、第２の実施の形態のように、機内の限られたスペース内に設置される化粧室ユニット１２Ｂであるがため化粧室ユニット１２Ｂのフロアが長方形となり、狭いスペースとなる化粧室３８Ｂに、化粧室３８Ｂ内のスペースを狭めることなくおむつ替え台３６を揺動可能に設ける場合に極めて有利となる。
また、手摺４０の長手方向の全長部分がおむつ替え台３６の側部の下面３６Ｂに当接しているので、使用状態におけるおむつ替え台３６を安定して支持する上で有利となる。
【符号の説明】
【００２１】
１２Ａ、１２Ｂ……航空機用化粧室ユニット、１８……第１側壁、２０……第２側壁、２４……背面壁、３２……便器、３６……おむつ替え台、３８Ａ、３８Ｂ……化粧室、４０……手摺、５２……正面壁、５４……背面壁、５６……第１側壁。
【図１】
2014033786.tif 000003
【図２】
2014033786.tif 000004
【図３】
2014033786.tif 000005
【図４】
2014033786.tif 000006
【図５】
2014033786.tif 000007
【図６】
2014033786.tif 000008
【国際調査報告】
2014033786.tif 000009
2014033786.tif 000010
2014033786.tif 000011
2014033786.tif 000012